Podtech/llm-jp-corpus-v4-ja_patent huggingface dataset:
(57)【特許請求の範囲】
【請求項１】
非装着時には内視鏡本体が汎用の１チャンネル内視鏡としての通常使用を可能にするため着脱自在で、且つ、内視鏡の先端に装着して使用することにより内視鏡本体の送水機能及びチャンネルを用いずに洗浄を可能にする独立した洗浄用チューブを直接キャップ部に取り付けたフードで、且つ、キャップ部を押し当てることにより処置・治療部位と適確な距離を保ちながら処置・治療と洗浄の同時施行を可能にし、且つ、洗浄用チューブから流出する洗浄液と内視鏡本体から出される処置具等が交差するよう、また、洗浄液と処置具と処置・治療部位の３者が一点に集中できるよう、キャップ部の中途に開けた側孔にキャップの外側から洗浄チューブを貫通させた透明フード
【発明の詳細な説明】
【０００１】
【発明の属する技術分野】
本発明は、医療用内視鏡の先端に装着する透明フードに直接洗浄機能を付加すること、また、付加された洗浄機能は内視鏡の鉗子孔を使用せずに洗浄を可能にすることにより、処置・治療と洗浄の同時施行が可能になることで内視鏡による処置・治療を容易にする技術に関するものである。
【０００２】
【従来の技術】
内視鏡下で処置・治療行為をする場合、患者の呼吸変動が強く目的となる病変部位と一定の距離を保てない場合や、内視鏡本体を如何に操作しようとも目的となる病変部位を正面視できない場合がある。従来の内視鏡の先端に装着する透明フードでは、この透明フードを装着した内視鏡の先端部を病変部付近に押し当てることで、病変部と一定の距離を保つことや病変部を正面視しすることが出来た。つまり、内視鏡先端からの距離を保つことで病変部の良好な視野を確保することが目的であった。
【０００３】
【発明が解決しようとする課題】
しかし、従来の透明フードでは、病変部の粘液や出血などの汚れを解決することによる視野の確保は考慮されていなかった。通常、病変部の粘液や出血などの汚れは内視鏡本体の鉗子孔に洗浄水を満たしたシリンジを嵌め込んで洗浄水を注入することで解決するが、内視鏡本体の鉗子孔はひとつであるため、その鉗子孔をもちいてのみ施行可能な病変の洗浄行為と処置・治療行為は、どちらかひとつのみしか出来なかった。臓器内の病変は粘液や出血が多く、先ず病変部を洗浄してから内視鏡の鉗子孔に処置・治療器具を挿入し処置・治療に移行するが、それらの器具挿入中に粘液や出血が増悪して視野が保てず、処置・治療を続行できない場合にしばしば遭遇する。特に、出血性病変の止血処置の場合、従来の透明フードではキャップ部の中に出血した血液が貯留し却って視野を増悪させる場合がある。このような場合、これまでは病変部の洗浄と処置・治療の続行のために、ひとつの内視鏡の鉗子孔で何度も処置・治療器具を抜き差しして、洗浄と処置・治療を交互にしていた。そこで、本発明は病変との距離を保つことでのみ視野を確保していた透明キャップ自体に洗浄行為を可能にする機能を付加し、付加された洗浄機能は内視鏡の鉗子孔を使用せずに洗浄を可能にすることで、この抜き差しをなくし、処置・治療行為と洗浄行為を同時に出来るようにすることを課題とする。
【０００４】
【課題を解決するための手段】
従来の透明フードのキャップ部に側孔をあけ、そこにキャップ部の外側から洗浄用のチューブを接着する。本発明である内視鏡用洗浄機能付き透明フードを従来通り内視鏡の先端に被せ、チューブは内視鏡本体にテープ固定する。チューブ反対側にはコネクターを取り付け、そこから洗浄水を注入することで、透明フード内ではチューブを介して常に洗浄可能となる。このチューブは内視鏡本体に外付けすることで内視鏡の鉗子孔を使用せずに洗浄が可能となるため、内視鏡本体の鉗子孔は処置・治療器具専用となり、処置・治療行為と洗浄行為を同時に出来ようになる。
【０００５】
【発明の実施の形態】
従来の透明フードのキャップ部１に該当する部分に２ミリメートル未満の斜孔５をあけ、そこにその径にぴったり嵌る内視鏡本体より長い１８０から２３０センチメートルのチューブ３を接着する。キャップ部１に開ける斜孔３は、注入される洗浄水の水線先端（想像線６）と内視鏡本体の鉗子孔より出される処置・治療器具の先端（想像線７）とキャップの先端が交わるように角度を設定する。チューブ３は、内視鏡本体の外側にテープ固定するので内視鏡の被験者への挿入に障害にならぬように２ミリメートル未満の外径を設定する。一方、チューブ３の反対側には通常のシリンジの先端を装着できるコネクター４を取り付ける。この完成したフードは従来通り内視鏡の先端に内視鏡装着部２を被せ、チューブ３は本体に５カ所程度でテープ固定し、洗浄水を満たしたシリンジの先端をコネクター部４にはめ込んで装置の準備完了とし、実際の処置・治療行為にあたる。これにより、キャップ部内１ではチューブ３を介して常に洗浄可能となり、内視鏡本体の鉗子孔は処置・治療器具専用となり、処置・治療行為と洗浄行為を同時に出来る。
【０００６】
【実施例】
消化管の出血性病変の止血術を実施する場合、本発明である内視鏡用洗浄機能付き透明フードを上記のように装着して内視鏡を被験者へ挿入する。止血処置用の器具、例えばクリップ装置を内視鏡本体の鉗子孔に挿入して内視鏡先端部よりクリップ装置の先端を出してクリップを開き、いつでも挟めるような準備状態にしてキャップ部内１に収める。内視鏡本体を操作して出血部位（点）の直上に開いたクリップが位置したところで、キャップ部１の先端部を消化管壁に押し当てる。洗浄水を満たしたシリンジより洗浄水を注入しつつ出血部位（点）を洗浄することで視野を確保しながらクリップを挟み確実に止血する。
【０００７】
【発明の効果】
本発明である内視鏡用洗浄機能付き透明フードは、処置・治療行為と洗浄行為を同時に出来るようにすることで、処置・治療を容易にする環境を作り、しかも、検査時間、処置・治療時間の短縮を可能にする。また、出血性病変では出血量の減少にもつながる。
【図面の簡単な説明】
【図１】キャップ部を平面よりみた全体図である。
【図２】キャップ部を側面よりみた全体図である。
【図３】透明フードを側面よりみた断面図である。
【符号の説明】
１  キャップ部
２  内視鏡装着部
３  チューブ
４  コネクター
５  斜孔部
６  水線（水の流れ）の想像線
７  内視鏡本体の鉗子孔より出る処置・治療器具の通る想像線
【図１】
0003790866.tif 000002
【図２】
0003790866.tif 000003
【図３】
0003790866.tif 000004
(57)【特許請求の範囲】
【請求項１】
弾性を有する合成樹脂で連続発泡させた発泡体で形成した洗顔用泡立て具であって、合成樹脂発泡体の一側部から渦巻き状のスリットを形成し、前記一側部に透孔を形成し、当該渦巻き状のスリットが形成された連続発泡の合成樹脂発泡体を円形若しくは楕円形又は多角形に形成したことを特徴とする洗顔用泡立て具。
【発明の詳細な説明】
【０００１】
【発明の属する技術分野】
本発明は主として洗顔時等にミクロな泡を形成するための洗顔用泡立て具に関するものである。
【０００２】
【従来の技術】
一般に、洗顔する場合に使用する洗顔用フォームは、石鹸やチューブから絞りだしたペースト状の洗剤を手に取り、両手を合せた状態ですり合わせることにより細かな泡を形成するようにしており、この手の平で形成された泡を顔に塗って洗浄するようにしている。
ところが、両手を擦り合わせて泡を形成する場合、合わされた両手の中に空気が入りにくく、泡を形成しにくいという問題があった。
そこでこうした問題に対処するために、合成樹脂製ネットに石鹸等の洗剤をつけてからネットを揉んでネット内に泡を形成し、このネットを扱いて内部の泡を取り出してこれを使用するようにしたものもある。
【０００３】
【発明が解決しようとする課題】
ところが上記の合成樹脂製ネットを使用して洗顔用フォームを形成する場合、合成樹脂製ネットが石鹸等の水分の保持力が少なく、再々水分の補給をしなくてはならず、手間がかかるだけでなく、泡立ちも充分とはいえないという問題があった。
本発明は上記問題点に鑑みて提案されたもので、多量の泡が簡単に作ることのできる洗顔用泡立て具を提供できるようにすることを目的とするものである。
【０００４】
【課題を解決するための手段】
上記目的を達成するために、本発明にかかる洗顔用泡立て具は、弾性を有する合成樹脂で連続発泡させた発泡体で形成した洗顔用泡立て具であって、合成樹脂発泡体の一側部から渦巻き状のスリットを形成し、前記一側部に透孔を形成し、当該渦巻き状のスリットが形成された連続発泡の合成樹脂発泡体を円形若しくは楕円形又は多角形に形成したことを特徴とするものである。
【０００５】
【発明の実施の形態】
以下、本発明の洗顔用泡立て具にかかる実施の形態を図面に基づいて説明する。
図１は本発明にかかる洗顔用泡立て具の正面図であって、図中符号１は洗顔用泡立て具を全体的に示す。
この洗顔用泡立て具１は、合成樹脂発泡体２で略円形に形成されており、この合成樹脂発泡体２は連続発泡にすることにより含水性と気泡形成能力を高めてある。
【０００６】
すなわち、合成樹脂発泡体２を連続発泡にすると、その連続する空間部分に水や洗剤が保持されるとともに、当該空間部分に水や洗剤の膜が張る。
そして、この状態で合成樹脂発泡体２が揉まれると連続する空間部分の空気が押し出される時に多くの泡を形成する。
略円形に形成された合成樹脂発泡体２には、その一側部３から渦巻き状のスリット４が形成されるとともに、始端部には円形の透孔５が穿設されて全体としてカタツムリを模した形状になっている。
【０００７】
上記のように形成された洗顔用泡立て具１の使用手順を次に説明する。
先ず、全体が略円形に形成された洗顔用泡立て具１を手６にとり、これを水や湯で湿らせてから石鹸を塗り、図２に示すように両手６・６でよく揉み、上述したように合成樹脂発泡体２が揉まれ、連続する空間部分の空気が押し出される時に多くの泡を形成するので、多量のミクロの泡が形成される。
【０００８】
このとき、本例のように合成樹脂発泡体２にその一側部３から渦巻き状のスリット４を形成したものでは、このスリット部分から空気が合成樹脂発泡体２内に入りやすく、多量の泡を簡単に形成することができる。
こうして形成されたミクロの泡が充分に形成されると、この洗顔用泡立て具１を扱いて泡を取り、使用する。
【０００９】
次に、使用済みの洗顔用泡立て具１は、水で良く洗い石鹸分を洗い流した後、乾燥するのであるが、この時始端部に穿設した円形の透孔５部分に吊持具（図示せず）を貫通させて洗顔用泡立て具１を吊持すると、図３に示すようにスリット４部分が開き、このスリット４部分からも水分が蒸散することから中心部分までの乾燥が速くなり、雑菌の繁殖も防止でき、衛生的なものとなる。
【００１０】
また、本発明にかかる洗顔用泡立て具１は、上記のようにミクロの泡を形成するために使用するほかに、図４及ぶ図５に示すようにボディスポンジとしても使用することができる。
即ち、スリット４部分を開いて紐状にしたのち、図４に示すように手６に握りやすい大きさにたたみ、これを手にもって図５に示すように、ボディスポンジとして使用することもできるのである。
【００１１】
尚、上記の実施例では洗顔用泡立て具１を、合成樹脂発泡体２で略円形に形成するようにしてあるが、こうしたものに限られず、楕円形はもとより多角形にすることもできるのは勿論である。
【００１２】
【発明の効果】
本発明の洗顔用泡立て具は以上に説明したように、弾性を有する合成樹脂で連続発泡させた発泡体で形成してあり、この洗顔用泡立て具を水や湯で湿らせて石鹸を塗り両手でよく揉むと、連続する空間部分の空気が押し出される時に多くの泡が形成される。これにより、多量の泡を簡単に、しかも短時間で作ることができる利点がある。
【００１３】
また、洗顔用泡立て具の全体が、弾性を有する合成樹脂で連続発泡させた発泡体で形成されているので、このスリット部分からも空気の出入りがあり、さらに泡立ちが良くなる利点もある。
【００１４】
さらに、弾性を有する合成樹脂で連続発泡させた発泡体で形成した洗顔用泡立て具を、スリットで渦巻き状に形成してあるので、この渦巻き状のスリット部分からも空気の出入りがあることから、洗浄後の水切りも早く、乾燥時間を短縮することができるとともに、腐食を防止し洗顔用泡立て具の耐久性も向上させることができる。
【００１５】
加えて、洗顔用泡立て具が、弾性を有する合成樹脂で連続発泡させた発泡体に渦巻き状に形成してあるので、乾燥時、透孔を上にして紐状に吊るして乾燥させることができる。これにより、水切れが早いことから、雑菌の繁殖を可及的に防止することができ、衛生的なものにすることができる利点もある。
【図面の簡単な説明】
【図１】は本発明にかかる洗顔用泡立て具の斜視図である。
【図２】は本発明にかかる洗顔用泡立て具の使用状態の斜視図である。
【図３】は本発明にかかる洗顔用泡立て具の乾燥するときの斜視図である。
【図４】は本発明にかかる洗顔用泡立て具をボディスポンジとして使用する時の斜視図である。
【図５】は本発明にかかる洗顔用泡立て具をボディスポンジとして使用していうる状態の斜視図である。
【符号の説明】
１・・・洗顔用泡立て具
２・・・合成樹脂製発泡体
４・・・スリット
【図１】
0003790706.tif 000002
【図２】
0003790706.tif 000003
【図３】
0003790706.tif 000004
【図４】
0003790706.tif 000005
【図５】
0003790706.tif 000006
(57)【特許請求の範囲】
【請求項１】
気密性を要する化粧料を収納したコンパクト容器の化粧料収納部を密閉しうる気密蓋を、コンパクト容器本体の本体蓋に係脱自在に連結し、本体蓋の開放時に本体蓋に設けたフックと気密蓋に設けたフックとの係合を解除しながら、気密蓋を開放するようにすると共に、気密蓋を化粧料収納部に気密に係着し、気密蓋の開放方向と本体蓋の開放方向が略直交するように気密蓋と本体蓋の軸支部を互いに位置を変えて軸支したことを特徴とする気密コンパクト容器の気密蓋開閉機構。
【発明の詳細な説明】
【０００１】
【発明の属する分野】
この発明は、気密性を有するコンパクト容器の気密蓋開閉機構に関し、特にコンパクト本体の開放時に、気密蓋の開放を同時に行い得るようにした気密蓋の開閉機構に関する。
【０００２】
【従来の技術】
従来、揮発性の成分を含有した化粧料を収納するコンパクト容器は、収納した化粧料の揮散を防止するために気密性を確保し得る蓋が用いられている。かかる気密用の蓋は、容易に開放できる程度の止着力では気密性の確保が難しいため、コンパクト本体に強固に止着されるようになっており、化粧料の使用時に気密用蓋の開放が困難であった。そこで、化粧料使用時における気密用蓋の開放を容易になし得るようにした蓋開閉機構を、本出願人等は特願平７−１９６７６３号により先に出願した。しかしながら、この出願に係る機構は、フックの位置と気密用蓋の位置がずれているため、化粧料を収納した中皿と塗布具とを同一平面に並列に配置したコンパクト容器では特に問題ないが、化粧料を収納する中皿や塗布具を複数段軸支した多段式のコンパクト容器には適用することが困難であった。
【０００３】
【発明が解決しようとする課題】
この発明は、十分な気密性を確保しつつ容易な開放を達成し得る気密用蓋の開閉機構であって、中皿や塗布具を複数段軸支した多段式のコンパクト容器にも何ら支障なく適用可能とするものである。
【０００４】
【課題を解決するための手段】
上記課題を解決するためにこの発明が採った手段は、気密性を要する化粧料を収納したコンパクト容器の化粧料収納部を密閉しうる気密蓋を、コンパクト容器本体の本体蓋に係脱自在に連結し、本体蓋の開放時に本体蓋に設けたフックと気密蓋に設けたフックとの係合を解除しながら、気密蓋を開放するようにすると共に、気密蓋を化粧料収納部に気密に係着し、気密蓋の開放方向と本体蓋の開放方向が略直交するように気密蓋と本体蓋の軸支部を互いに位置を変えて軸支したことを特徴とする。
【０００５】
【発明の実施の形態】
この発明の好ましい実施の形態を、以下に詳細に説明する。図１，２はこの発明に係る気密性コンパクト容器の本体蓋と気密蓋の開閉及び軸支位置を概念的に示す図である。図１，２を参照して、コンパクト容器本体(１)内に化粧料を収納した中皿と称せられる小型の化粧料容器(２)が収納される。図示の実施形態に於いて、中皿(２)は容器本体(１)に一体に形成されているが、中皿(２)を使用することなく、容器本体(１)の凹所に化粧料を直接充填して収納してもよいことは勿論である。(３)は、該中皿(２)の開放された上面を閉止して、収納された化粧料の揮散、蒸発を防止しうる密封蓋であり、(４)は容器本体(１)を閉止する本体蓋である。気密蓋(３)と本体蓋(４)は、互いに異なった位置(５)(６)に於いて容器本体(１)に軸支されており、両蓋の開閉が互いに干渉しないようになっている。
【０００６】
図３，４を参照して、気密蓋(３)は中皿(２)の外側面に互いに係合し、かつ所定以上の力が加わったとき係合がはずれる突起(７)(８)によって止着される。気密蓋(３)と中皿(２)の密閉は、両者の間に適用されるパッキン或はその他の手段によって達成される。係脱自在な突起(７)(８)は、中皿(２)を周囲して形成しても、部分的に形成してもよい。気密蓋(３)の軸支部(５)の直径方向対向位置には、本体蓋(４)と係合するフック(９)が形成され、本体蓋(４)のフック(10)と係合自在である。本体蓋(４)が開放されるとき、フック(９)(10)の係合により気密蓋(３)が上方に持ち上げられ、この持ち上げる力によって突起(７)(８)の係合がはずれる。気密蓋(３)と本体蓋(４)とを係着するフック(９)(10)の位置は、図示のような気密蓋(３)の軸支部(５)の直径方向対向位置に限定されるものではなく、どの位置であってもよい。しかしながら、図示のように、気密蓋に軸支部(５)の直径方向対向位置と本体蓋(４)の軸支部(６)の直径方向対向位置との間に設けるのが好ましい。本体蓋(４)は、軸支部(６)の直径方向対向位置に於いて、容器本体(１)にフック(11)(12)で着脱自在に係止される。容器本体位置と本体蓋(４)との係合は、図示のフック構造に限定されるものではなく、いかなる機構、構造のフック手段を用いてもよい。
【０００７】
気密蓋(３)と本体蓋(４)との間のフック(９)(10)は、いずれか一方のフック部をベント自在として、気密蓋(３)が本体蓋(４)で上方に持ち上げられ突起(７)(８)の係合が外れた後に、気密蓋(３)が本体蓋(４)から外れるようにする。図５は、本体蓋(４)側のフック(９)をベントする構造としたものであり、図６は気密蓋(３)側のフック(10)をベントする構造としたものである。又、気密蓋(３)は、図７に示すように容器本体(１)内に収納される中皿(２)に軸支しても、図８に示すように容器本体(１)に軸支してもよい。更に、図１〜８の実施形態では、気密蓋(３)の上部にパフ等の塗布具(13)を収納した多段式の構造について述べたが、図９，１０に示すように、中皿(２)と塗布具(13)とを同一平面に並列して配置するコンパクトに適用してもよいことは勿論である。
【０００８】
【発明の効果】
この発明によれば、化粧料を密閉する気密蓋を確実に密封状態を確保しつつ閉蓋する事が出来ると共に、開蓋時には本体蓋の開放に伴って開放することが出来る利点がある。
【図面の簡単な説明】
【図１】この発明に係る気密蓋と本体蓋の軸支位置とフック位置を原理的に示す平面図
【図２】同開放時の状態を示す平面図
【図３】図１Ａ−Ａ’線に沿った断面図
【図４】図１Ｂ−Ｂ’線に沿った断面図
【図５】本体蓋側をベント構造としたフックの断面図
【図６】気密蓋側をベント構造としたフックの断面図
【図７】気密蓋を中皿に軸支した構造を示す断面図
【図８】気密蓋を容器本体に軸支した構造を示す断面図
【図９】化粧料と塗布具を並列配置したコンパクトに適用した平面図
【図１０】同開放状態の平面図
【符号の説明】
(１)コンパクト容器本体
(２)中皿
(３)気密蓋
(４)本体蓋
(５)軸支部
(６)軸支部
(７)突起
(８)突起
(９)フック
(10)フック
(11)フック
(12)フック
(13)塗布具
【図１】
0003790600.tif 000002
【図２】
0003790600.tif 000003
【図３】
0003790600.tif 000004
【図４】
0003790600.tif 000005
【図５】
0003790600.tif 000006
【図６】
0003790600.tif 000007
【図７】
0003790600.tif 000008
【図８】
0003790600.tif 000009
【図９】
0003790600.tif 000010
【図１０】
0003790600.tif 000011
(57)【特許請求の範囲】
【請求項１】
式(Ｉ)
Ｒ−ＣＨＯ                (Ｉ)
（式中、Ｒは１〜６個の炭素原子を有する直鎖状または分枝鎖状のアルキル基を示す）で表されるアルデヒドをメタンスルホン酸の存在下で環状三量化することを特徴とする、式（II)
【化１】
0003790560.tif 000003
（式中、Ｒは前述したものと同一意義を有する）で表される２,４,６−トリアルキル−１,３,５−トリオキサンの製造方法。
【請求項２】
Ｒがイソプロピル基である請求項１に記載の製造方法。
【発明の詳細な説明】
【０００１】
【産業上の利用分野】
本発明は、２,４,６−トリアルキル−１,３,５−トリオキサンの改良された製造方法に関するものである。本化合物はエポキシ樹脂用硬化剤あるいは昇華性基剤として広い用途を有している。特に、２,４,６−トリイソプロピル−１,３,５−トリオキサン（シス・シス体）は無毒、無刺激、無味、無臭、無色であり、融点６２.５℃の適度な昇華性を有する結晶であり、種々の昇華性製剤用素材として有用である。
【０００２】
【従来の技術およびその問題点】
２,４,６−トリアルキル−１,３,５−トリオキサンは一般に酸触媒の存在下でアルキルアルデヒドを環状三量化することにより製造される。工業的規模で製造する場合、酸触媒として、例えば硫酸（特公昭52−39835号）やｐ−トルエンスルホン酸などが使用される。硫酸は安価ではあるが、強酸化性であるため、原料のアルデヒドと反応して有機酸や過酸化物を生成する。これらは精製工程で十分アルカリ洗浄することにより除去できるが痕跡量でも残存していると生成物が異臭を放つなどの問題点を有する。特に２,４,６−トリイソプロピル−１,３,５−トリオキサンは無臭であることに利点があるので、わずかな異臭であってもその使用価値がなくなる。ｐ−トルエンスルホン酸も、その製造時に使用される硫酸が残存しているため上記と同様の問題を引き起こす。さらに市販のｐ−トルエンスルホン酸は一水和塩であるが、この環状三量化反応では水分の存在が生成物の収率を低下させるので好ましくない。最近、ヘテロポリ酸を触媒として使用する製法が報告されており（特開平4−364177号)、反応後の簡便な精製工程を特徴としている。しかしながら、この製法で使用されるヘテロポリ酸は高価であり、収率も６０％と低いため、より優れた触媒の出現が望まれている。
【０００３】
【課題を解決するための手段】
本発明は、式(Ｉ)
Ｒ−ＣＨＯ              (Ｉ)
（式中、Ｒは１〜６個、好ましくは２〜５個の炭素原子を有する直鎖状または分枝鎖状のアルキル基を示す）で表されるアルデヒドをメタンスルホン酸の存在下で環状三量化することを特徴とする式(II)
【化２】
0003790560.tif 000002
（式中、Ｒは前述したものと同一意義を有する）で表される２,４,６−トリアルキル−１,３,５−トリオキサンの製造方法からなる。
【０００４】
本発明において原料として使用されるアルデヒド(Ｉ)の好ましい例としては、ｎ−プロピルアルデヒド、イソプロピルアルデヒド、ｎ−ブチルアルデヒド、イソブチルアルデヒド、ｎ−ヘキシルアルデヒド、イソヘキシルアルデヒドなどがあげられる。アルデヒド(Ｉ)としてイソブチルアルデヒドを使用して得られる２,４,６−トリイソプロピル−１,３,５−トリオキサンは無臭性の昇華性製剤用素材として特に有用である。
【０００５】
本発明の製造方法は、不活性有機溶媒中、アルデヒド（I）をメタンスルホン酸と接触させて環状三量化することにより容易に実施される。溶媒を使用しないでも反応は進行するが、所望のシス・シス体の他にシス・トランス体が副生するので溶媒を使用するのが望ましい。適当な不活性有機溶媒としては、ｎ−ヘキサン、ｎ−ペンタン等の脂肪族炭化水素、ベンゼン、トルエン等の芳香族炭化水素、メチレンクロリド、エチレンジクロリド等のハロゲン化炭化水素、ジエチルエーテル、アニソール等のエーテル類があげられる。
【０００６】
メタンスルホン酸はアルデヒド(Ｉ)に対して０.００５〜０.０８当量、好ましくは０.０２〜０.０４当量用いられる。反応は通常−１０〜５℃、好ましくは−５〜０℃で３０分〜２時間行われる。所望の生成物は、常法により、例えば再結晶またはシリカゲルクロマトグラフィーによって精製される。
【０００７】
【実施例】
次に実施例を挙げて本発明をさらに具体的に説明するが本発明はこれらの実施例によってなんら限定されるものではない。
【０００８】
実施例１
イソブチルアルデヒド６４ｇとトルエン６４ｇの混合物を−５℃に冷却し、メタンスルホン酸０.６４ｇを加え、１時間攪拌した。反応溶液を飽和炭酸ナトリウム水溶液で洗浄後、水洗した。トルエン溶液を減圧濃縮後、粗結晶をメタノール１２０ｇで再結晶すると、異臭を有しない２,４,６−トリイソプロピル−１,３,５−トリオキサン（シス・シス体）５４ｇ（融点：６２.５℃、収率：８４％）が得られた。
【０００９】
実施例２
メタンスルホン酸１.２８ｇとベンゼン６４ｇの混合物を−５℃に冷却し、イソブチルアルデヒド６４ｇを３０分要して滴下した。反応溶液を飽和炭酸ナトリウム水溶液で洗浄後、水洗した。ベンゼン溶液を減圧濃縮後、粗結晶をメタノール１２０ｇで再結晶すると、異臭を有しない２,４,６−トリイソプロピル−１,３,５−トリオキサン（シス・シス体）５３ｇ（融点：６２.５℃、収率：８３％）が得られた。
【００１０】
【発明の効果】
本発明によれば、生成物に異臭をもたらすことなく、収率よく、工業的に安価に２,４,６−トリアルキル−１,３,５−トリオキサンを製造する方法が提供される。
本発明の製造方法により得られる２,４,６−トリイソプロピル−１,３,５−トリオキサンは異臭がないので種々の昇華性製剤用素材として特に好適である。
(57)【特許請求の範囲】
【請求項１】
天井面に水平に固定される器具本体（６）を備え、前記器具本体（６）に固定されるプルスイッチ（８）を備え、前記プルスイッチ（８）から前記器具本体（１）に沿って水平に延び、前記器具本体（１）の周縁部から垂下される操作紐を備えた天井用照明器具の引紐装置において、
前記器具本体（６）に前記操作紐を中継する回転レバー（２０）を配置し、前記回転レバー（２０）はレバー本体（１）と該レバー本体（１）の片面一端に配置した回転軸部（２）と該レバー本体（１）の他の片面に該レバー本体（１）の長手方向に沿って配置した一対の紐留め突起（４・５）とを合成樹脂で一体に形成したものであり、前記各紐留め突起（４・５）に紐を着脱自在に係合する紐留めスリット（３）を形成し、前記器具本体（６）に前記回転軸部（２）を回転自在にかつ着脱自在に枢着するだるま孔（７）を設け、
前記操作紐における前記プルスイッチ（８）側から延びるスイッチ側紐部（９）の他端を一方の前記紐留め突起４の前記紐留めスリット（３）の箇所に係合し、前記操作紐における引き紐操作側引紐部（１０）の基端を他方の前記紐留め突起（５）の前記紐留めスリット（３）の箇所に係合したことを特徴とする天井用照明器具の引紐装置。
【発明の詳細な説明】
【０００１】
【発明の属する技術分野】
本発明は、天井面に水平に固定される器具本体を備え、前記器具本体に固定されるプルスイッチを備え、前記プルスイッチから前記器具本体に沿って水平に延び、前記器具本体の周縁部から垂下される操作紐を備えた天井用照明器具の引紐装置に関するものである。
【０００２】
【発明が解決しようとする課題】
この種装置においては、操作紐の張力および引紐ストローク（引く長さ）を調整するために、操作紐をプルスイッチ側から延びるスイッチ側紐部と引き紐操作側引紐部とに分け、その間を中継する金属製レバーを設ける。
しかし、各引紐部を金属製レバーに装着する作業に手間がかかり、また装着箇所で紐が切断する可能があった。
本発明の目的は紐の装着が簡単であって、また紐が切断し難い構造の天井用照明器具の引紐装置を提供することである。
【０００３】
【課題を解決するための手段】
天井用照明器具の引紐装置は水平に固定される器具本体と前記器具本体に固定されるプルスイッチを備える。前記プルスイッチから前記器具本体に沿って水平に延び、前記器具本体の周縁部から垂下される操作紐を備える。
本発明においては、前記器具本体に前記操作紐を中継する回転レバーを配置する。前記回転レバーはレバー本体と該レバー本体の片面一端に配置した回転軸部と該レバー本体の他の片面に該レバー本体の長手方向に沿って配置した一対の紐留め突起とを合成樹脂で一体に形成したものである。前記各紐留め突起に紐を着脱自在に係合する紐留めスリットを形成する。前記器具本体に前記回転軸部を回転自在にかつ着脱自在に枢着するだるま孔を設ける。
前記操作紐における前記プルスイッチ側から延びるスイッチ側紐部の他端を一方の前記紐留め突起の前記紐留めスリットの箇所に係合する。前記操作紐における引き紐操作側引紐部の基端を他方の前記紐留め突起の前記紐留めスリットの箇所に係合する。
【０００４】
【発明の実施の形態】
図１〜図３を使って本発明の実施形態について説明する。本発明に係る天井用照明器具の引紐装置は天井面に水平に固定される器具本体６を備える。器具本体６に固定されるプルスイッチ８を備える。プルスイッチ８から器具本体１に沿って水平に延び、器具本体１の周縁部から垂下される操作紐を備える。
器具本体６に操作紐を中継する回転レバー２０を配置する。回転レバー２０はレバー本体１と該レバー本体１の片面一端に配置した回転軸部２と該レバー本体１の他の片面に該レバー本体１の長手方向に沿って配置した一対の紐留め突起４・５とを合成樹脂で一体に形成したものである。各紐留め突起４・５に紐を着脱自在に係合する紐留めスリット３を形成する。器具本体６に回転軸部２を回転自在にかつ着脱自在に枢着するだるま孔７を設ける。
操作紐におけるプルスイッチ８側から延びるスイッチ側紐部９の他端を一方の紐留め突起４の紐留めスリット３の箇所に係合する。操作紐における引き紐操作側引紐部１０の基端を他方の紐留め突起５の紐留めスリット３の箇所に係合する。引き紐操作側引紐部１０を引紐操作すると、レバー本体１が回転軸部２回りに回転し、スイッチ側紐部９も引かれるが、それらの張力と引紐ストロークは各紐留め突起４・５の回転半径比に応じて変換される。プルスイッチ８の特性によっては、スイッチ側紐部９を紐留め突起５に係合し、引き紐操作側引紐部１０紐留め突起４に係合することが好適である場合もある。
回転レバー２０はその回転軸部２を器具本体６のだるま孔７に装着すれば良いので、装着作業が簡単である。また、各紐部９・１０をスリット３に挟み込む構造であるため、その装着も簡単である。また、回転レバー２０は合成樹脂で一体に形成したものであり、安価である。また、各紐部９・１０に当たる鋭利な箇所もないため、各紐部９・１０が切断し難い。スリット３の入り口をテーパー状に形成し、奥を膨大部となる形態とするが、それは各紐部９・１０の装着が簡単であって、かつ外れ難くするためである。
【０００５】
【発明の効果】
本発明は以上のように構成したので、回転レバーの装着が簡単であり、紐の装着も簡単であり、また紐が切断し難い構造となる。
【図面の簡単な説明】
【図１】  本発明装置を適用した天井用照明器具の斜視図である。
【図２】  その要部を示す要部拡大分解斜視図である。
【図３】  その回転レバーを示す拡大斜視図である。
【符号の説明】
１：レバー本体、２：回転軸部、３：スリット、４：紐留め突起、
５：紐留め突起、６：器具本体、７：だるま孔、８：プルスイッチ、
９：スイッチ側紐部、１０：紐操作側引紐部、２０：回転レバー
【図１】
0003790938.tif 000002
【図２】
0003790938.tif 000003
【図３】
0003790938.tif 000004
(57)【特許請求の範囲】
【請求項１】
下端に逆止弁を設定せるパイプの内周縁におけるマウスピースに対向の直近位置に、前記逆止弁側に向け略Ｕ字状の切込みを形成した舌片を付設したことを特徴とするスノーケルの排水装置。
【発明の詳細な説明】
【０００１】
【産業上の利用分野】
この発明は、海、プール等において遊泳者の水面遊泳に際し、パイプ下端の排水用としての逆止弁近傍に貯留せる水の全てを迅速・容易に排出可能な遊泳用呼吸具｛以下、スノーケル（登録商標）と称する｝の排水装置に関するものである。
【０００２】
【従来の技術】
スノーケルを顔部に装着の遊泳者（図示しない）が海、プール等での水面遊泳および水面休息に際し、図３にみるように、マウスピース１を口に把持し、空気の吸入、排出を行っている。
【０００３】
しかしてマウスピース１の下端でパイプ状のスノーケル２先端（図３において左端）に、排水用としての逆止弁３が接離する弁座４に適数個の排水孔５を設ける一方、弁座４の中央に穿設した挿入孔６に、前記逆止弁３の挿通片７を摺動可能に挿通し、該挿通片７のマウスピース１側に係止片８を挿通・突出させ、しかして遊泳者は逆止弁３を水中側に押圧し排水孔５を介しマウスピース１内に貯留の水ｄと共に水中に向け空気を排出する。
【０００４】
【発明が解決しようとする課題】
前述のような構成のスノーケル２にあっては、遊泳者が水中遊泳後、水面に浮上の際、もしくは水面遊泳や水面休息のとき、波浪等によりスノーケル２内に水ｄが進入することがあり、そしてこの際、遊泳者は息の吐き出しで逆止弁３の水中側への押圧で進入・貯留の水ｄの排出は可能なるも、逆止弁３が不均一の状態で押圧されるため、水ｄは矢印ｉの部分のみから排出され、一回の息の吐き出しでは水ｄの全てを排出できず、一部の水ｄ′がスノーケル２内に残留する。
【０００５】
（０００４）で述べたように、スノーケル２内に水ｄ′が残留しているにも不拘、之に気付かず、呼吸すれば遊泳者はいわゆる「むせび」の状態に陥り一時的に呼吸困難となる惧れが多分にある。
【０００６】
（０００４）、（０００５）で述べたような事態を予め考慮し、図４にみるように、板状片からなる仕切片１４をスノーケル１３内に設定し、マウスピース１５側から息を吐き出すと、逆止弁１６が不均一の状態で押圧されるため、水ｅは矢印ｋの部分のみから排出され、スノーケル１３内に進入した水ｅの一部分の水ｅ′が逆止弁１６近傍内側上部に残留する。しかしてこの残留の水ｅ′に気付かず、呼吸すれば（０００５）での述べたと同様な「むせび」の状態に陥り易い。
【０００７】
【目的】
この発明は前述のような欠点に鑑み提案されたもので、その目的とする所は、スノーケル下端に進入・貯留の水全てを遊泳者が水面遊泳中において迅速かつ容易に外部に排出可能なスノーケルの排水装置を提供しようとするものである。
【０００８】
【課題を解決するための手段】
前述の目的達成のため、この発明に係るスノーケルの排水装置は、下端に逆止弁を設定せるパイプの内周縁におけるマウスピースに対向の直近位置に、前記逆止弁側に向け略Ｕ字状の切込みを形成した舌片を付設したものである。
【０００９】
【作用】
この発明において、スノーケル内部に進入の水がマウスピース下方に貯留したとき、遊泳者が水面でスノーケル内部への息の吐き出しに際し、マウスピース直近に定着の舌片における切込みの存在で逆止弁が均一に押圧されるため、水の全てが淀みなく、逆止弁を経て極めて迅速かつ容易に排出され、前述の図３、４におけるように、逆止弁近傍において水の残留することがない。
【００１０】
【実施例】
図１、２、を参照しこの発明に係る第一実施例を述べるに、マウスピースＭを具えた細長のパイプからなるスノーケルＳの先端（図１において左端）内部に嵌入・定着された保持体２１の一部に適数個の通孔ｂのある弁座２２を形成し、該弁座２２の中央に穿設した通孔ｈに、排水用の逆止弁Ｃと一体の挿通片２３を遊合・挿通し、この挿通片２３と一体の断面略円錐状の係止片２４をマウスピースＭ側に突出させ、逆止弁Ｃの不測のうちにおける弁座２２からの脱落を阻止してある。
【００１１】
マウスピースＭの直近位置においてスノーケルＳの内周縁に、図２にみるように、逆止弁Ｃ側に向け略Ｕ字状の切込みａを形成したゴムもしくは可撓性合成樹脂のような材質からなる舌片２５を一体成型または嵌合の状態で付設してある。
【００１２】
【実施例の作用】
この実施例において、図１にみるように、逆止弁Ｃ近傍に、波浪等によりスノーケルＳ内に進入の水ｗが貯留された際、遊泳者が水面においてスノーケルＳ内部に息を吐き出すとき、この息の切込みａを通る際のスノーケルＳ内周縁への均一な押圧力で貯留せる水の全てが迅速かつ容易に逆止弁Ｃから排出され残留することがない。
【００１３】
【発明の効果】
この発明によれば、スノーケル内周縁におけるマウスピースに対向の直近位置に逆止弁側に向け略Ｕ字状の切込みを形成した舌片を付設したので、スノーケル内部に進入・貯留の水全てが逆止弁を経て迅速に排出される。
【００１４】
従来の逆止弁付きのスノーケルにあっては、貯留の水を遊泳者の吐き出す息で排出するも、一回の吐きだしの息では水が残留し、時としてこの残留の水で「むせび」の状態に陥る惧れがあったが、この発明によれば、略Ｕ字状の切込み付の舌片の存在で遊泳者による吐き出す息のスノーケル内周縁への均一な押圧力で極めて迅速かつ容易に水の全てを排出可能で、遊泳者にとっては従来に比しより安心裡に遊泳できる。
【００１５】
この発明にあっては、従来の逆止弁付きのスノーケルにおけるマウスピースに対向の直近位置でスノーケル内周縁に、略Ｕ字状の切込み付の舌片を付設した構成であるから、スノーケル全体としての構成は従来の夫れに僅かの改良を施したにすぎない故、徒らに構成の複雑化を招かず利用者にとっては極めて至便で、しかも安価に製作可能にして広く一般需要家に供給できる。
【図面の簡単な説明】
【図１】この発明に係る一実施例の要部縦断面図である。
【図２】図１のＩＩ−ＩＩ線断面図である。
【図３】従来の逆止弁付スノーケルの要部縦断面図である。
【図４】仕切片および逆止弁付設のスノーケルの要部縦断面図である。
【図５】図４のＶ−Ｖ線断面図である。
【符号の説明】
Ｃ          逆止弁
Ｍ          マウスピース
Ｓ          スノーケル
ａ          切込み
２５        舌片
【図１】
0003790914.tif 000002
【図２】
0003790914.tif 000003
【図３】
0003790914.tif 000004
【図４】
0003790914.tif 000005
【図５】
0003790914.tif 000006
(57)【特許請求の範囲】
【請求項１】
段ボールシートを材料として、座板の両側縁に重合板を連設すると共に、座板の一端縁に主枠板を、主枠板の両側縁に折枠板をそれぞれ連設し、主枠板及び折枠板に切欠部を形成し、切欠部に臨む主枠板及び折枠板の端面に、座板に対して主枠板を起立させる際の折曲線に対して直交する方向に突出する複数の突起を設け、座板及び重合板に突起の突出方向に延びるスリットを形成し、座板から重合板を座板の両側縁に対し内側へ折り曲げると共に、主枠板から折枠板を主枠板の両側縁に対し内側へ折り曲げ、これらを重ね合わせて、各切欠部及びスリットを連通させることにより、被梱包物の隅部を嵌める凹所と、被梱包物の外周に形成されたリブを挿入する挿入溝とをそれぞれ形成し、隣接する各主枠板及び折枠板の突起を互いにずらして配列した梱包用緩衝材。
【発明の詳細な説明】
【０００１】
【発明の属する技術分野】
この発明は、給湯器や家電製品等の梱包に使用する緩衝材に関する。
【０００２】
【従来の技術】
従来より、複数枚の段ボールシートを積み重ね、各段ボールシートの端面を揃えて当接面を形成し、箱に収容された内容物を前記当接面に当接させることにより、箱内における内容物の移動を阻止する梱包用緩衝材が知られている。
【０００３】
【発明が解決しようとする課題】
しかしながら、上記のような緩衝材では、隣接する段ボールシートにより撓みが制限された弾性に乏しい当接面が広範囲に亘って内容物に当接するため、十分な緩衝性が得られなかった。
【０００４】
一方、当接面の面積を小さくすると、当接面を内容物に押しつけたとき、内容物の表面が凹むことがあるほか、箱に作用する振動等に伴い内容物が当接面に衝突して破損する危険性があった。
【０００５】
そこで、この発明は、内容物に損傷を与える危険性の少ない緩衝材を提供することを課題とする。
【０００６】
【課題を解決するための手段】
上記の課題を解決するため、この発明は、積み重ねられた複数枚の段ボールシートから成る梱包用緩衝材において、前記各段ボールシートの端部に、先端が内容物に当接する突起を複数形成し、隣接する段ボールシートの突起を互いにずらして配列した構成を採用したのである。
【０００７】
【発明の実施の形態】
この発明に係る緩衝材の展開基板を図１に示す。この展開基板は段ボールシートから成り、座板１の一端縁から座板２を連設し、座板１、２の両側縁からそれぞれ重合板３、４を連設すると共に、座板１の他端縁から主枠板５、６を順次連設し、主枠板５、６の両側縁からそれぞれ折枠板７、８を連設した構成とされている。
【０００８】
主枠板５、６及び折枠板７、８には、それぞれ切欠部９が形成され、切欠部９に臨む主枠板５及び折枠板７、８の端面には、それぞれ複数の突起１０が設けられている。また、座板１、２及び重合板３、４には、スリット１１が形成されている。
【０００９】
上記展開基板の組み立てに際しては、図２に示すように、座板１、２を重ね合わせ、重合板３、４を内側へ折り曲げる。そして、座板１に対して主枠板５を起立させ、折枠板７、８を内側へ折り曲げ、図３に示すように、主枠板５に対して主枠板６を折り曲げつつ、主枠板５を重合板４に重ね合わせると、図４に示す緩衝材が完成する。
【００１０】
上記緩衝材において、各切欠部９乃びスリット１１は連通し、それぞれ凹所２０及び挿入溝２１を形成する。突起１０と、切欠部９に臨む折枠板７、８の側面とは、凹所２０内へ突出した状態となり、隣接する段ボールシートの突起１０は互いにずれた配列となる。
【００１１】
いま、例えば、箱内に収容された給湯器を上記緩衝材により緩衝するには、凹所２０に給湯器の隅部を嵌め、挿入溝２１に給湯器の外周に形成されたリブを挿入し、突起１０の先端を給湯器の表面に当接させる。
【００１２】
この際、突起１０の先端を給湯器の表面に強く押しつけても、突起１０は隣接する段ボールシート間で互いにずれた配列とされているので、突起１０が厚さ方向に撓むことにより給湯器への押圧力が吸収され、給湯器の表面が凹むことはない。
【００１３】
また、厚さ方向に撓んだ突起１０は復元しようとするため、突起１０の先端と給湯器との間に隙間が生じることがなく、箱から給湯器へ伝わる衝撃は、突起１０の弾性により緩和される。
【００１４】
【発明の効果】
この発明によると、以上のように、積み重ねられた複数枚の段ボールシートの端部に、先端が内容物に当接する突起を複数形成し、隣接する段ボールシートの突起を互いにずらして配列したので、突起の先端を箱に収容された内容物の表面に強く押しつけた場合、その押圧力は、突起が厚さ方向に撓むことにより吸収され、内容物表面の凹みが防止される。
【００１５】
また、厚さ方向に撓んだ突起は復元しようとするため、突起の先端と内容物との間に隙間が生じることがなく、箱から内容物へ伝わる衝撃は突起の弾性により緩和される。
【図面の簡単な説明】
【図１】この発明に係る緩衝材の展開基板の一実施形態を示す図
【図２】同上の組み立て過程を示す斜視図
【図３】同上の組み立て過程を示す斜視図
【図４】同上の緩衝材の完成状態を示す斜視図
【符号の説明】
１乃至８  段ボールシート
１０  突起
【図１】
0003739472.tif 000002
【図２】
0003739472.tif 000003
【図３】
0003739472.tif 000004
【図４】
0003739472.tif 000005
(57)【特許請求の範囲】
【請求項１】
一端に対物レンズが取付けられ、他端に接眼レンズが取付けられてなる一対のイメージファイバを備えたステレオスコープにおいて、該一対のイメージファイバの一端に取付けられた両対物レンズの先端の位置が相対的にずらされ、両対物レンズの画像の大きさの差がいずれか一方の画像の大きさに対して５〜２０％となるようにすることを特徴とするステレオスコープ。
【発明の詳細な説明】
【０００１】
【発明の属する技術分野】
この発明は、医療分野などで用いられるステレオスコープ、特に、観察像を立体視するステレオスコープに関する。
【０００２】
【従来の技術】
観察像を立体視する内視鏡であるステレオスコープにおいては、図２に示すように視差Ｓを得るために２系統の画像伝送系の対物部を平行に配置して両方の伝送系に間隔を持たせている。すなわち、図２において、１、１は画像伝送用の一対のイメージファイバで、通常、両者の画素数は等しく、その画像伝送部の径も等しくなされている。２、２はこの一対のイメージファイバ１、１の一端に取付けられた対物部をなす対物レンズで、通常、ロッドレンズからなっていて、視差Ｓを得るために互いに平行で、かつ、所定の間隔とされている。なお、３、３は一対のイメージファイバ１、１の他端に取付けられた右眼、左眼用の接眼レンズである。
また、視差Ｓを得るための別手段として、図３（図２と同一部分には同一符号が付されている。）に示すように２系統の伝送系を作動距離に合わせた角度、間隔に配置する方法がある。
【０００３】
【発明が解決しようとする課題】
図２の構成においては、スコープ先端（ロッドレンズ先端）から観察物までの距離が近い場合には視差Ｓが相対的に大きくなるため遠近感が得られるが、距離が遠ざかるにつれて視差Ｓが小さくなって行くため遠近感が得られ難くなって行く。従って広い範囲で遠近感を得るためには、画像伝送系間の間隔を、つまり、ロッドレンズ２、２間の間隔をできるだけ大きくとる必要があり、スコープの小型化の面で不利である。
また、図３の構成では、設計作動距離で最も自然な画像の遠近感が得られ、設計作動距離から近い領域でもそれなりの遠近感が得られるが、遠い領域では不自然な画像になってしまい、その結果、遠近感が得られる範囲が限られてしまうという問題があった。
【０００４】
【課題を解決するための手段】
この発明者等は、鋭意、研究の結果、人が左眼、右眼のそれぞれより得る画像のズレから立体感を感じることに着目してこの発明に至ったもので、その特徴とする請求項１記載の発明は、一端に対物レンズが取付けられ、他端に接眼レンズが取付けられてなる一対のイメージファイバを備えてなるステレオスコープにおいて、該一対のイメージファイバの一端に取り付けられた両対物レンズの先端の位置が相対的にずらされていることにある。かくして、左眼、右眼に結像される画像の大きさの差がいずれか一方の画像の大きさに対して５〜２０％となるような程度が好ましい。その理由は、５％未満とした場合は立体感が不十分で、２０％を越えて大きくすると不自然な画像となり立体感が得られがたいからであり、人の感覚として違和感や疲労がなく処理できる実用上の差としては１０％程度がより好ましいとの知見を得たことによる。
【０００５】
【発明の実施の形態】
以下、本発明の実施の形態を説明する。図１は本発明のステレオスコープの概念図で、図１において、１０、１２は右眼用と左眼用の一対の画像伝送系を構成するイメージファイバで、例えば石英ガラス系からなり、その画素数は等しく１６００〜５００００程度であり、その外径は典型的には０．１〜０．８ｍｍ程度である。２０、２２はイメージファイバ１０、１２の先端に取付けられた対物レンズで、その先端の位置は対物レンズ２０の方が対物レンズ２２のそれよりも相対的に突出している。この相対的な突出の程度の差は、得られる画像の大きさの差で、いずれか一方の画像の大きさに対して５〜２０％、好ましくは１０％程度の差とされている。なお、３０、３２は接眼レンズで倍率５０程度のものである。このように構成することによって、ロッドレンズの先端と観察物との距離が離れていても、右眼、左眼に５〜２０％、好ましくは１０％程度だけ異なる大きさの画像が結像することになり、観察物を立体感をもって見ることができる。
【０００６】
【実施例】
画素数が６，０００、条長が２ｍ，外径が３５０μｍの石英系のイメージファイバを２本用意し、そらの一端に直径０．７ｍｍ，作動距離５ｍｍ、画角６５度の対物レンズをエポキシ樹脂などの接着剤で接着した。そして、一対の対物レンズの先端の位置が相対的な差で０．５ｍｍとなるように前後にずらした。
なお、一対のイメージファイバの他端には倍率５０の接眼レンズをそれぞれ取付けてステレオスコープとした。
観察物までの距離を変えて、得られる伝送画像の立体感を調べたところ、比較的遠い領域（例えば１０ｍｍ）までも十分立体感のあることが判った。
因みに、従来の構成のものでは観察物までの距離が７ｍｍになると、立体感を得ることが困難であった。
【０００７】
【発明の効果】
本発明は、以上のように一対の伝送系を構成するイメージファイバの一端に取付ける対物レンズの先端の位置を相対的にいずれか一方の画像の大きさに対して５〜２０％となるようにずらすという簡単な手段で、立体感のある伝送画像を容易に得ることができるという効果を奏することができる。
【図面の簡単な説明】
【図１】本発明のステレオスコープの概念図
【図２】従来のステレオスコープの概念図
【図３】従来のステレオスコープの他の一例の概念図
【符号の説明】
１０  相対的に長いイメージファイバ
１２  相対的に短いイメージファイバ
２０  先端の位置が相対的に突出した対物レンズ
２２  先端の位置が相対的に引き込んだ対物レンズ
【図１】
0003739460.tif 000002
【図２】
0003739460.tif 000003
【図３】
0003739460.tif 000004